(57)【要約】【課題】不審者情報を記憶し、これを監視カメラの映像と併せて１つのモニタ上に分割表示する監視映像装置の提供を目的とする。【解決手段】本発明の監視映像装置は、１又は複数の監視カメラ１０の映像信号を入力するＡ／Ｄ変換器１１０と、Ａ／Ｄ変換器１１０から受けた監視カメラ１０の映像信号を蓄積するＨＤＤ１０１と、ＨＤＤ１０１に蓄積した監視カメラ１０の映像のうち、ユーザが選択自在に指定した画像を不審者情報として記憶する不審者情報記憶手段と、監視カメラの映像と不審者情報とをモニタ２０に分割画面で同時に表示する画面分割手段１０５とを備える。【選択図】図１
2011216949.tif 000002
【特許請求の範囲】
【請求項１】
１又は複数の監視カメラの映像信号を入力する入力手段と、
前記入力手段から受けた前記監視カメラの映像信号を蓄積する記憶手段と、
前記記憶手段に蓄積した前記監視カメラの映像のうち、ユーザが選択自在に指定した画像を不審者情報として記憶する不審者情報記憶手段と、
前記監視カメラの映像と前記不審者情報とをモニタに分割画面で同時に表示する画面分割手段とを備えることを特徴とする監視映像装置。
【請求項２】
前記不審者情報記憶手段はＨＤＤであることを特徴とする、請求項１に記載の監視映像装置。
【請求項３】
リムーバブルメディアと信号の送受信を行うインターフェースをさらに備え、
前記不審者情報記憶手段は、前記インターフェースを介して前記リムーバブルメディアと前記不審者情報を授受する機能を備えることを特徴とする、請求項１又は２に記載の監視映像装置。
【請求項４】
ネットワーク回線を介したパーソナルコンピュータと信号の送受信を行うインターフェースをさらに備え、
前記不審者情報記憶手段は、前記インターフェースを介して前記パーソナルコンピュータと前記不審者情報を授受する機能を備えることを特徴とする、請求項１又は２に記載の監視映像装置。
【発明の詳細な説明】
【技術分野】
【０００１】
この発明は、監視カメラの映像を監視する監視映像装置に関する。
【背景技術】
【０００２】
従来、コンビニエンスストアやスーパーマーケットにおいて店内入口や商品棚に複数の監視カメラを設置し、商品の盗難やいたずらを防ぐために監視カメラの映像を一箇所に集めて監視映像装置にて監視を行っている。
【０００３】
複数の監視カメラを店内に設置して監視を行う場合に、監視カメラからの映像信号を別々のモニタに表示すると、監視カメラの数に応じて複数のモニタが必要となり経済的な負担が大きくなる。
【０００４】
この改善策として、４つの監視用カメラから入力する映像信号を１つのＴＶ受像機又はモニタに４つに分割して同時に表示可能な四画面分割表示装置が開示されている（特許文献１参照）。
【先行技術文献】
【特許文献】
【０００５】
【特許文献１】特開平４−１３７８８６号公報
【発明の概要】
【発明が解決しようとする課題】
【０００６】
しかしながら、特許文献１の場合にはＴＶ受像機又はモニタに監視に有用な不審者情報などは分割画面に同時に表示することはできない。従って、監視者はＴＶ受像機又はモニタに表示された映像から、不審な行動をする者（不審者）の特徴、時間、場所の情報を紙に書き写したり、不審者の映像の印刷を行い、それらの紙面とモニタに表示された映像を比較しながら不審者による商品の盗難やいたずらを防ぐために監視を行うため、視線の移動が大きく負担が大きい。
【０００７】
また、コンビニエンスストアやスーパーマーケットの店舗の営業時間は長く、監視を行う監視者は勤務時間の交替で入れ替わり、不審者情報が十分に引継ぎされないことがある。
【０００８】
そこで、本発明では不審者情報を記憶し、これを監視カメラの映像と併せて１つのモニタ上に分割表示する監視映像装置の提供を目的とする。
【課題を解決するための手段】
【０００９】
本発明の監視映像装置は、１又は複数の監視カメラの映像信号を入力する入力手段と、入力手段から受けた前記監視カメラの映像信号を蓄積する記憶手段と、記憶手段に蓄積した監視カメラの映像のうち、ユーザが選択自在に指定した画像を不審者情報として記憶する不審者情報記憶手段と、監視カメラの映像と不審者情報とをモニタに分割画面で同時に表示する手段とを備える。
【発明の効果】
【００１０】
本発明の監視映像装置は、記憶手段に蓄積した監視カメラの映像のうち、ユーザが選択自在に指定した画像を不審者情報として記憶する不審者情報記憶手段と、監視カメラの映像と不審者情報とをモニタに分割画面で同時に表示する手段とを備える。これにより、監視者は１つのモニタ上で監視カメラの映像と不審者情報を比較することにより不審者の監視を行う事ができる。また、監視者が交代する場合にも不審者情報を引き継ぐことが出来る。
【図面の簡単な説明】
【００１１】
【図１】実施の形態１の監視映像装置の構成図である。
【図２】実施の形態１の第２ＲＡＭの構成図である。
【図３】監視カメラの映像と不審者情報をモニタに表示する様子を示す図である。
【図４】実施の形態２のＨＤＤの構成図である。
【図５】実施の形態３のＵＳＢフラッシュメモリの構成図である。
【図６】実施の形態４の監視映像装置の構成図である。
【発明を実施するための形態】
【００１２】
（実施の形態１）
＜構成＞
図１は、実施の形態１における監視映像装置１００の構成を示したブロック図である。監視映像装置１００は、監視カメラの映像を蓄積する記憶手段を備えており、映像データの蓄積用にＨＤＤ１０１、周辺ＩＣの制御やその他のソフトウェア機能を実行するＣＰＵ１０６、ソフトウェアを実行するワークエリア領域の第１ＲＡＭ１０３、不審者情報を記憶しておくための第２ＲＡＭ１０４、第２ＲＡＭ１０４に記憶されたデータが圧縮データである場合にそれを伸張する伸張手段１１４、不揮発性の記憶領域としてソフトウェアの実行コードや監視映像装置１００の電源が切れたときに保持しておく必要があるデータを保存するフラッシュメモリ１０２、複数のカメラ映像をモニタ２０に分割して表示するための画面分割器１０５を備えている。
【００１３】
なお、ここで不審者情報とは、不審者が記録された監視カメラの映像を元に作成されたデジタルデータのことを指す。
【００１４】
また、その他の構成は、接続された監視カメラ１０から取得したアナログ信号をデジタルデータに変換するＡ／Ｄ変換器１１０、Ａ／Ｄ変換器１１０から出力されたデジタルデータを圧縮データに圧縮する圧縮手段１１１、映像データ蓄積用ＨＤＤ１０１から出力された圧縮データを伸張する伸張手段１１２、画面分割器１０５から出力されたデジタルデータと伸張手段１１２から出力されたデジタルデータを切換える切換スイッチ１０７、切換スイッチから出力されたデジタルデータをアナログ映像信号に変換するＤ／Ａ変換器１１３、リムーバブルメディアなどとデータ受け渡しを行うためのＵＳＢ端子１２０、ネットワークを利用して監視映像装置の制御やデータ受け渡しを行うためのＬＡＮ端子１２１、監視映像装置の操作を行うための操作ボタン１２２、不審者情報の登録を行うための登録ボタン１２３、不審者情報の削除を行うための削除ボタン１２４を備えている。
【００１５】
第２ＲＡＭ１０４の構成を図２に示す。第２ＲＡＭ１０４は、不審者情報を格納するｎ個の領域を持っている。領域１〜ｎは、それぞれ不審者情報が含まれているかどうかを表すフラグを記憶する情報ｐと不審者情報を記憶する領域を持つものとする。
【００１６】
＜動作＞
監視映像装置１００には３個の監視カメラ１０ａ〜１０ｃが接続されており、以下に監視カメラ１０の映像と不審者情報をモニタ２０へ表示する動作について説明する。
【００１７】
監視カメラ１０ａ〜１０ｃの映像はそれぞれ、入力手段としてのＡ／Ｄ変換器１１０ａ〜１１０ｃでアナログ映像信号からデジタルデータへ変換される。Ａ／Ｄ変換器１１０ａ〜１１０ｃから出力されたデジタルデータは、ＨＤＤ１０１で蓄積されると共に画面分割器１０５へ入力される。
【００１８】
第２ＲＡＭ１０４は、不審者情報が記憶される不審者情報記憶手段となる。第２ＲＡＭ１０４への不審者情報の記録については後述する。
【００１９】
ＣＰＵ１０６は第２ＲＡＭ１０４の領域１〜ｎに格納されている情報ｐを順番に読み出す。ＣＰＵ１０６は、第２ＲＡＭ１０４のすべての領域１〜ｎに不審者情報が記憶されていない場合、不審者情報が含まれていない空のデータを作成し、伸張手段１１４へ出力する。ＣＰＵ１０６は領域ｊ（１≦ｊ≦ｎ）を読み出したときに、領域ｊの情報ｐより不審者情報が含まれているときは、領域ｊに記憶されている不審者情報を第２ＲＡＭ１０４から伸張手段１１４へ出力する。次の領域ｊ＋１（１≦（ｊ＋１）≦ｎ）も同様に情報ｐより不審者情報が含まれているときは、伸張手段１１４へ出力する。
【００２０】
ＣＰＵ１０６は領域ｋ（１≦ｋ≦ｎ）を読み出したときに、領域ｋの情報ｐより不審者情報が含まれていないときは、次の領域ｋ+１（１≦（ｋ＋１）≦ｎ）を読み出し、不審者情報が含まれる領域まで繰り返す。ＣＰＵ１０６が領域ｎまで読み出したときは、伸張手段１１４へ不審者情報が含まれていない空のデータを出力し、再び領域１から読み出し動作を繰り返す。
【００２１】
なお、伸張手段１１４へ出力する不審者情報が含まれない空のデータは、全て黒色の圧縮された映像データであってもよい。
【００２２】
第２ＲＡＭ１０４から入力された不審者情報は、圧縮データである場合には伸張手段１１４で伸張され、画面分割器１０５に入力される。画面分割器１０５は、Ａ／Ｄ変換器１１０から入力されたデジタルデータと伸張手段１１４から入力されたデータを、図３で示すように、モニタ２０に４分割した形で表示できるように各入力のデジタルデータを配置する。
【００２３】
画面分割器１０５から出力されたデータは、切換スイッチ１０７へ入力される。切換スイッチ１０７は、ＣＰＵ１０６の制御信号により画面分割器１０５から出力されたデジタルデータと伸張手段１１２から出力されたデジタルデータの一方を選択し出力する。通常動作時は画面分割器１０５のデータが切換スイッチ１０７から出力され、Ｄ／Ａ変換器１１３でデジタルデータからアナログ映像信号へ変換され、モニタ２０へ出力される。モニタ２０へ入力されたアナログ映像信号により、３個の監視カメラ１０ａ〜１０ｃの映像と不審者情報が４分割された分割画面で表示される。
【００２４】
なお、不審者情報が複数ある場合には、さらに画面を分割することによって複数の不審者情報を同時に表示させても良いし、表示する不審者情報を一定時間で自動的に、あるいは監視者の操作により手動で切り換えても良い。
【００２５】
次に、監視映像装置１００が監視カメラ１０の映像を記憶手段であるＨＤＤに蓄積する動作について説明する。接続された監視カメラ１０ａ〜１０ｃのそれぞれについて監視映像装置１００は画質、記録コマ数（１秒間に記録する映像の枚数）等の設定を行う機能を備えている。
【００２６】
監視カメラ１０ａ〜１０ｃの映像の記録を監視映像装置１００が開始すると、Ａ／Ｄ変換器１１０ａ〜１１０ｃは映像信号の入力手段として、アナログ映像信号をデジタルデータに変換する。設定された記録コマ数、画質から算出された圧縮率に応じてデジタルデータを圧縮手段１１１ａ〜１１１ｃが圧縮し、それらの映像をＨＤＤ１０１が蓄積する。
【００２７】
次に、監視者が操作ボタン１２２を使いＨＤＤ１０１に蓄積された映像の再生を行う手段について説明をする。操作ボタン１２２は、再生、停止、逆再生、早送り、早戻しのそれぞれのボタンを備えており、ＣＰＵ１０６は、停止以外の操作ボタンの押下げを検出すると、ＨＤＤ１０１に蓄積された圧縮データを読み出し、伸張手段１１２へ出力する。伸張手段１１２に入力された圧縮データは伸張されデジタルデータに変換される。ＣＰＵ１０６からの制御信号により切換スイッチ１０７が伸張手段１１２から出力されたデータを選択し出力することで、Ｄ／Ａ変換器１１３を介してモニタ２０へ出力され、任意の時間に再生することが可能となる。
【００２８】
ＣＰＵ１０６は再生中に操作ボタン１２２の停止ボタンの押下げを検出すると、ＨＤＤ１０１からの圧縮データの読み出しを停止し、制御信号で切換スイッチ１０７が画面分割器１０５から出力されたデータを選択し出力するように切換える。
【００２９】
次に、本実施の形態で監視者が監視中に不審者を発見した場合に、不審者が記録された映像をもとに不審者情報を監視映像装置１００に記憶させる手段について説明する。
【００３０】
監視者が監視中に不審者を発見したときは、監視映像装置１００に備えられた操作ボタン１２２にてＨＤＤ１０１に蓄積された映像の再生を行う。監視者は操作ボタン１２２にて所望の映像を再生し、登録ボタン１２３を押下げる。
【００３１】
ＣＰＵ１０６は、映像の再生中に登録ボタン１２３の押下げを検出すると、ＣＰＵ１０６はＨＤＤ１０１から読み出した圧縮データを不審者情報として第１ＲＡＭ１０３と伸張手段１１２へ出力する。ここで、不審者が記録された一画面の画像の圧縮データをそのまま不審者情報としても良いし、一画面中で特に不審者が映っている部分を監視者の操作によりトリミングした画像の圧縮データを不審者情報としても良い。このようにして、監視者が選択自在に指定した画像が不審者情報となる。
【００３２】
次に、ＣＰＵ１０６は、第２ＲＡＭ１０４の領域１〜ｎの情報ｐを順番に読み出し、不審者情報が含まれていない領域ｍ（１≦ｍ≦ｎ）に、第１ＲＡＭ１０３へ入力された不審者情報を移動させる。
【００３３】
第２ＲＡＭ１０４の領域１〜ｎの情報ｐを順番に読み出し、全ての領域に既に不審者情報が含まれているときは、ＣＰＵ１０６は第１ＲＡＭ１０３の不審者情報を削除し、モニタ２０へ新たに不審者情報の登録ができないことを表示し通知を行う。
【００３４】
このように、本実施の形態の監視映像装置は、１又は複数の監視カメラ１０ａ〜１０ｃの映像信号を入力するＡ／Ｄ変換器１１０ａ〜１１０ｃ（入力手段）と、Ａ／Ｄ変換器１１０ａ〜１１０ｃから受けた監視カメラ１０ａ〜１０ｃの映像信号を蓄積するＨＤＤ１０１（記憶手段）と、ＨＤＤ１０１に蓄積した監視カメラ１０ａ〜１０ｃの映像のうち、ユーザが選択自在に指定した画像を不審者情報として記憶する不審者情報記憶手段と、監視カメラ１０ａ〜１０ｃの映像と不審者情報とをモニタ２０に分割画面で同時に表示する画面分割器１０５（画面分割手段）とを備える。
【００３５】
次に、監視映像装置１００に記憶された不審者情報を削除する手段について説明する。
【００３６】
監視者が監視中にモニタ２０に表示された不審者情報が不要となったときは、削除ボタン１２４を押下げる。第２ＲＡＭ１０４の領域ｊ（１≦ｊ≦ｎ）をモニタ２０に表示しているときに、ＣＰＵ１０６が削除ボタン１２４の押下げを検出すると、ＣＰＵ１０６は第２ＲＡＭ１０４の領域ｊの情報ｐを不審者情報が含まれていないように書き換える。
【００３７】
以上のように監視映像装置を構成することにより、監視者は不審者の特徴を書いた紙や印刷された映像を見ることが無く、モニタ２０に表示された映像を注視することで監視を行うことができる。
【００３８】
また、監視中に発見した不審者について監視映像装置に記録された映像をもとに不審者情報として監視映像装置に記憶させることで、監視者の勤務交替時に不審者情報を容易に引き継ぐことができるようになる。
【００３９】
＜効果＞
本実施の形態の監視映像装置によれば以下の効果を奏する。すなわち、本実施の形態の監視映像装置は、１又は複数の監視カメラ１０ａ〜１０ｃの映像信号を入力するＡ／Ｄ変換器１１０ａ〜１１０ｃ（入力手段）と、Ａ／Ｄ変換器１１０ａ〜１１０ｃから受けた監視カメラ１０ａ〜１０ｃの映像信号を蓄積するＨＤＤ１０１（記憶手段）と、ＨＤＤ１０１に蓄積した監視カメラ１０ａ〜１０ｃの映像のうち、ユーザが選択自在に指定した画像を不審者情報として記憶する第２ＲＡＭ１０４（不審者情報記憶手段）と、監視カメラ１０ａ〜１０ｃの映像と不審者情報とをモニタ２０に分割画面で同時に表示する画面分割器１０５（画面分割手段）とを備える。１つのモニタ上に監視カメラの映像と不審者情報を同時に表示するため、監視者は視線を移動させることなく、不審者の特徴などの情報を元に監視カメラの映像を注視することができるため、監視を行いやすいという利点がある。また、不審者情報記憶手段が不審者情報を記憶するため、監視者が交代しても不審者情報が引き継がれるという効果もある。
【００４０】
（実施の形態２）
実施の形態１では第２ＲＡＭ１０４が不審者情報を記録したが、実施の形態２ではＨＤＤ１０１が不審者情報を記録するものとする。
【００４１】
＜構成＞
図４は、本実施の形態のＨＤＤ１０１を示している。ＨＤＤ１０１は、監視カメラの映像を蓄積する領域１０１ａと不審者情報を記憶する領域１０１ｂを備えている。領域１０１ｂは不審者情報を記憶するｎ個の領域１〜ｎを持ち、領域１〜ｎはそれぞれ、不審者情報が含まれているかどうかを表すフラグを記憶する情報ｐと、不審者情報を記憶する領域とを持つ。
【００４２】
これ以外の点は実施の形態１と同様であるため、説明を省略する。
【００４３】
＜効果＞
本実施の形態の監視映像装置では、不審者情報記憶手段はＨＤＤ１０１である。不審者情報をＨＤＤ１０１へ記録することにより、監視映像装置１００の電源が切れたときにも不審者情報を保持しておくことができる。
【００４４】
（実施の形態３）
＜構成＞
本実施の形態では、パーソナルコンピュータ等で作成した不審者情報のファイルＦ００１を格納するリムーバブルメディアとしてＵＳＢフラッシュメモリ１３０を使用する。ＵＳＢフラッシュメモリ１３０は、ＵＳＢインターフェースを備え、書込みと読込みが可能なフラッシュメモリである。ここでの不審者情報には、監視カメラの映像だけでなく、服装や身長など不審者の特徴を示す情報が含まれる。
【００４５】
図５は、不審者情報のファイルが格納されたＵＳＢフラッシュメモリ１３０を示している。ＵＳＢフラッシュメモリ１３０に格納されたファイルＦ００１は、不審者の情報を記憶するｎ個の領域を持ち、領域１〜ｎはそれぞれ不審者の情報が含まれているかどうかを表すフラグを記憶する情報ｐと不審者の情報を記憶する領域を持つ。
【００４６】
監視映像装置１００は、ＵＳＢフラッシュメモリ１３０を挿入するＵＳＢ端子１２０を備え（図１参照）、ＵＳＢフラッシュメモリ１３０とデータのやり取りをするためのＵＳＢインタフェース（図示せず）を備える。
【００４７】
＜動作＞
本実施の形態の監視映像装置では、実施の形態１と同様にＨＤＤ１０１に記録した監視映像から不審者情報を作成することに加えて、ＵＳＢフラッシュメモリ１３０から不審者情報を入手する。
【００４８】
監視者が図１に示す監視映像装置１００のＵＳＢ端子１２０にＵＳＢフラッシュメモリ１３０を挿入する。次に、監視者が監視映像装置１００に備えられた登録ボタン１２３を押下げる。ＣＰＵ１０６は、登録ボタン１２３の押下げを検出するとＵＳＢフラッシュメモリ１３０にファイルＦ００１が格納されているか解析を行う。
【００４９】
ＵＳＢフラッシュメモリ１３０にファイルＦ００１が格納されているときは、ＣＰＵ１０６が領域１〜ｎの情報ｐを順番に読み出し不審者の情報が含まれているか否かの解析を行う。不審者の情報が含まれているときは、ＣＰＵ１０６はファイルＦ００１の領域１〜ｎを順番に読み出し、第２ＲＡＭ１０４の領域１〜ｎへ書込みを行う。あるいは、実施の形態２で述べたように、ＨＤＤ１０１の不審者情報を記録する領域１０１ｂの領域１〜ｎへ不審者情報を書き込んでもよい。
【００５０】
これ以外の点については実施の形態１と同様であるため、説明を省略する。
【００５１】
＜効果＞
本実施の形態の監視映像装置は、ＵＳＢフラッシュメモリ１３０（リムーバブルメディア）と信号の送受信を行うＵＳＢインターフェースをさらに備え、不審者情報記憶手段は、当該インターフェースを介してリムーバブルメディアと不審者情報を授受する機能を備える。これにより、近隣に複数のチェーン店を展開している店舗においては、不審者情報をＵＳＢフラッシュメモリを介して店舗間で共有し、監視することができる。
【００５２】
（実施の形態４）
＜構成＞
図６は、本実施の形態の監視映像装置１００の構成を示すブロック図である。
【００５３】
ネットワーク回線にはパーソナルコンピュータ（ＰＣ）１４０が接続されている。また、監視映像装置１００に備えられたＬＡＮ端子１２１はネットワーク回線に接続され、ＣＰＵ１０６は、ネットワーク回線を介して通信を行うパーソナルコンピュータ１４０から送信される信号により、第２ＲＡＭ１０４の領域１〜ｎの不審者情報を書き換える手段を備えている。パーソナルコンピュータ１４０で作成した不審者情報のファイルＦ００１は、図５に示すとおり不審者情報を記憶するｎ個の領域を持ち、領域１〜ｎはそれぞれ不審者情報が含まれているかどうかを表すフラグを記憶する情報ｐと不審者の情報を記憶する領域を持つ。
【００５４】
＜動作＞
以下に、実施の形態１と異なる点について述べる。
【００５５】
監視者がパーソナルコンピュータ１４０に格納されている不審者情報のファイルＦ００１を監視映像装置１００に記憶させるために、パーソナルコンピュータ１４０の操作を行う。パーソナルコンピュータ１４０は、ファイルＦ００１の領域１〜ｎの情報ｐを順番に読み出し不審者情報が含まれているかの解析を行う。不審者情報が含まれているとき、パーソナルコンピュータ１４０は監視映像装置１００と通信を行い、不審者情報のファイルＦ００１を送信することをＣＰＵ１０６へ伝える。ＣＰＵ１０６は、パーソナルコンピュータ１４０からの送信信号を検出し、ファイルＦ００１の受信の開始を行う。ＣＰＵ１０６は、受信したファイルＦ００１の領域１〜ｎを順番に第２ＲＡＭ１０４の領域１〜ｎへ書込みを行う。あるいは、実施の形態２で述べたように、ＨＤＤ１０１の不審者情報を記憶する領域１０１ｂの領域１〜ｎへ書込みを行ってもよい。
【００５６】
なお、実施の形態１〜３では３系統の映像入力端子を備え、モニタ２０へ４分割表示を行う監視映像装置１００を例にあげて説明したが、本発明は、映像入力系統の数やモニタへの分割数、上述した監視映像装置の詳細な仕様に限定されるものではない。
【００５７】
＜効果＞
本実施の形態の監視映像装置は、ネットワーク回線を介したパーソナルコンピュータ１４０と信号の送受信を行うインターフェースをさらに備え、不審者情報記憶手段（第２ＲＡＭ１０４あるいはＨＤＤ１０１）は、当該インターフェースを介してパーソナルコンピュータ１４０と前記不審者情報を授受する機能を備える。このように、不審者情報をネットワーク回線を介して読み込む手段を監視映像装置１００が備えることによって、複数のチェーン店を展開している店舗においては、例えばチェーン店の本部が不審者情報を各店舗に配信することが可能となり、店舗間で情報を共有し、監視を行うことができるようになる。
【符号の説明】
【００５８】
１０ａ〜１０ｃ  監視カメラ、２０  モニタ、１００  監視映像装置、１０１  ＨＤＤ、１０２  フラッシュメモリ、１０３  第１ＲＡＭ、１０４  第２ＲＡＭ、１０５  画面分割器、１０６  ＣＰＵ、１０７  切換スイッチ、１１０ａ〜１１０ｃ  Ｄ／Ａ変換器、１１１ａ〜１１１ｃ  圧縮手段、１１２  伸張手段、１１３  Ｄ／Ａ変換器、１１４  伸張手段、１２０  ＵＳＢ端子、１２１  ＬＡＮ端子、１２２  操作ボタン、１２３  登録ボタン、１２４  削除ボタン、１３０  ＵＳＢフラッシュメモリ、１４０  パーソナルコンピュータ（ＰＣ）。
【図１】
2011216949.tif 000003
【図２】
2011216949.tif 000004
【図３】
2011216949.tif 000005
【図４】
2011216949.tif 000006
【図５】
2011216949.tif 000007
【図６】
2011216949.tif 000008